(57)【要約】【課題】この発明は、タブレットに入力された連続する各点の座標の変化量が所定の一定値以内であれば、縦方向の直線及び横方向の直線となるように補正することができる。【解決手段】この発明は、オペレータがタブレットに手書き入力した連続する２点の座標を比較し、縦方向あるいは横方向のずれ量が所定の一定値以内であれば、前記２点の縦方向あるいは横方向の座標が同じになるように補正することにより、縦方向の直線あるいは横方向の直線として補正するようにしたものである。【選択図】    図１
2004213088.tif 000002
【特許請求の範囲】
【請求項１】
手書き入力手段により手書きで示されたイメージデータを入力する描画入力装置において、
前記手書き入力手段が示している点を検知する検知手段と、
この検知手段により検知された連続する点の位置の変動量が所定の閾値以内であるか否かを判断する判断手段と、
この判断手段により連続する点の位置の変動量が所定の閾値以内であると判断した場合、前記連続する点の位置関係に基づいて前記検知手段により検知された点の位置を補正する補正手段と、
を具備することを特徴とする描画入力装置。
【請求項２】
前記判断手段は、前記検知手段により検知された連続する点の横方向あるいは縦方向における変動差が予め設定されている横方向あるいは縦方向に対する所定の閾値以内であるか否かを判断し、
前記補正手段は、前記検知手段により検知された連続する点の横方向あるいは縦方向における変動差が予め設定されている横方向あるいは縦方向に対する所定の閾値以内であると判断した場合、前記連続する点の縦方向の位置あるいは横方向の位置が同じになるように補正する、
ことを特徴とする前記請求項１に記載の描画入力装置。
【請求項３】
手書き入力手段により手書きで示されたイメージデータを入力する描画入力装置において、
前記手書き入力手段が示している点の位置座標を所定時間ごとに検知する検知手段と、
この検知手段により検知された点の位置座標を示すデータを記憶する記憶手段と、
前記検知手段により点を検知した場合、前記検知手段により検知した点の位置座標と前記記憶手段に既に記憶されている点の位置座標との変動量が所定の閾値以内であるか否かを判断する判断手段と、
この判断手段により前記２点の位置の変動量が所定の閾値以内であると判断した場合、前記検知手段により検知された点の位置座標を前記記憶手段に既に記憶されている点の位置座標に基づいて補正して前記記憶手段に記憶する補正手段と、
を具備することを特徴とする描画入力装置。
【請求項４】
カード発行に必要なカード情報を入力する入力手段と、
この入力手段により入力されたカード情報を文字ごとに所定の文字イメージデータに変換して登録し、前記入力手段により入力された当該カード情報に所定の文字イメージデータに変換できない欠字が存在する場合には、その欠字を特定の識別子に変換して登録する第１の登録手段と、
この第１の登録手段から特定の識別子に変換された欠字を取得する取得手段と、
この取得手段により前記第１の登録手段から取得した欠字のイメージが手書きで示される手書き入力手段と、
この手書き入力手段により示される点を検知する検知手段と、
この検知手段により検知された連続する点の位置の変動量が所定の閾値以内であるか否かを判断する判断手段と、
この判断手段により連続する点の位置の変動量が所定の閾値以内であると判断した場合、前記連続する点の位置関係に基づいて前記検知手段により検知された点の位置を補正する補正手段と、
前記検知手段により検知された点あるいは前記補正手段により補正された点からなる点の集合を当該欠字のイメージデータとして登録する第２の登録手段と、
前記第１の登録手段からカード情報を取得し、さらに、取得したカード情報に欠字が含まれる場合には前記第２の登録手段から対応する欠字のイメージデータを取得してカードを発行する発行手段と、
を具備することを特徴とするカード発行システム。
【請求項５】
カード発行に必要なカード情報を入力する入力手段と、
この入力手段により入力されたカード情報を文字ごとに所定の文字イメージデータに変換して登録し、前記入力手段により入力された当該カード情報に所定の文字イメージデータに変換できない欠字が存在する場合には、その欠字を特定の識別子に変換して登録する第１の登録手段と、
この第１の登録手段から特定の識別子に変換された欠字を取得する取得手段と、
この取得手段により前記第１の登録手段から取得した欠字のイメージが手書きで示される手書き入力手段と、
この手書き入力手段により示される点の位置座標を所定時間ごとに検知する検知手段と、
この検知手段により検知された点の位置座標を示すデータを記憶する記憶手段と、
前記検知手段により点を検知した場合、前記検知手段により検知した点の位置座標と前記記憶手段に既に記憶されている点の位置座標との変動量が所定の閾値以内であるか否かを判断する判断手段と、
この判断手段により前記２点の位置の変動量が所定の閾値以内であると判断した場合、前記検知手段により検知された点の位置座標を前記記憶手段に既に記憶されている点の位置座標に基づいて補正して前記記憶手段に記憶する補正手段と、
前記記憶手段に記憶された点の集合を当該欠字のイメージデータとして登録する第２の登録手段と、
前記第１の登録手段からカード情報を取得し、さらに、取得したカード情報に欠字が含まれる場合には前記第２の登録手段から対応する欠字のイメージデータを取得してカードを発行する発行手段と、
を具備することを特徴とするカード発行システム。
【請求項６】
手書き入力手段により手書きで示されたイメージデータを入力する描画入力装置に用いられる描画入力方法であって、
前記手書き入力手段が示している点を検知する検知工程と、
この検知工程により検知された連続する点の位置の変動量が所定の閾値以内であるか否かを判断する判断工程と、
この判断工程により連続する点の位置の変動量が所定の閾値以内であると判断した場合、前記連続する点の位置関係に基づいて前記検知工程により検知された点の位置を補正する補正工程と、
を有することを特徴とする描画入力方法。
【請求項７】
手書き入力手段により手書きで示されたイメージデータを入力する描画入力装置に用いられる描画入力方法であって、
前記手書き入力手段が示している点の位置座標を所定時間ごとに検知する検知工程と、
この検知工程により検知された点の位置座標を示すデータを記憶手段に記憶する記憶工程と、
前記検知工程により点を検知した場合、前記検知工程により検知した点の位置座標と前記記憶手段に既に記憶されている点の位置座標との変動量が所定の閾値以内であるか否かを判断する判断工程と、
この判断工程により前記２点の位置の変動量が所定の閾値以内であると判断した場合、前記検知工程により検知された点の位置座標を前記記憶手段に既に記憶されている点の位置座標に基づいて補正して前記記憶手段に記憶する補正工程と、
を有することを特徴とする描画入力方法。
【請求項８】
カード発行に必要なカード情報を入力する入力工程と、
この入力工程により入力されたカード情報を文字ごとに所定の文字イメージデータに変換して第１の登録手段に登録し、前記入力手段により入力された当該カード情報に所定の文字イメージデータに変換できない欠字が存在する場合には、その欠字を特定の識別子に変換して前記第１の登録手段に登録する第１の登録工程と、
前記第１の登録手段から特定の識別子に変換された欠字を取得する取得工程と、
この取得工程により前記第１の登録手段から取得した欠字のイメージを手書きで入力する手書き入力手段が示す点を検知する検知工程と、
この検知工程により検知された連続する点の位置の変動量が所定の閾値以内であるか否かを判断する判断工程と、
この判断工程により連続する点の位置の変動量が所定の閾値以内であると判断した場合、前記連続する点の位置関係に基づいて前記検知工程により検知された点を補正する補正工程と、
前記検知工程により検知された点あるいは前記補正工程により補正された点からなる点の集合を当該欠字のイメージデータとして第２の登録手段に登録する第２の登録工程と、
前記第１の登録手段からカード情報を取得し、さらに、取得したカード情報に欠字が含まれる場合には前記第２の登録手段から対応する欠字のイメージデータを取得してカードを発行する発行工程と、
を有することを特徴とするカード発行方法。
【請求項９】
カード発行に必要なカード情報を入力する入力工程と、
この入力工程により入力されたカード情報を文字ごとに所定の文字イメージデータに変換して第１の登録手段に登録し、前記入力工程により入力された当該カード情報に所定の文字イメージデータに変換できない欠字が存在する場合には、その欠字を特定の識別子に変換して前記第１の登録手段に登録する第１の登録工程と、
この第１の登録手段から特定の識別子に変換された欠字を取得する取得工程と、
この取得工程により前記第１の登録手段から取得した欠字のイメージを手書きで入力する手書き入力手段が示す点の位置座標を所定時間ごとに検知する検知工程と、
この検知工程により検知された点の位置座標を示すデータを記憶手段に記憶する記憶工程と、
前記検知工程により点を検知した場合、前記検知工程により検知した点の位置座標と前記記憶手段に既に記憶されている点の位置座標との変動量が所定の閾値以内であるか否かを判断する判断工程と、
この判断工程により前記２点の位置の変動量が所定の閾値以内であると判断した場合、前記検知工程により検知された点の位置座標を前記記憶手段に既に記憶されている点の位置座標に基づいて補正して前記記憶手段に記憶する補正工程と、
前記記憶手段に記憶された点の集合を当該欠字のイメージデータとして第２の登録手段に登録する第２の登録工程と、
前記第１の登録手段からカード情報を取得し、さらに、取得したカード情報に欠字が含まれる場合には前記第２の登録手段から対応する欠字のイメージデータを取得してカードを発行する発行工程と、
を有することを特徴とするカード発行方法。
【発明の詳細な説明】
【０００１】
【発明の属する技術分野】
この発明は、例えば、手書きされた図形や文字などを電子イメージとして入力する描画入力装置と描画入力方法、及び前記描画装置を用いて入力された電子イメージを個人情報として印刷した運転免許証などのＩＤカードを発行するカード発行システムとカード発行方法に関する。
【０００２】
【従来の技術】
従来、人間が手書きしたイメージを電子化して入力するタブレットなどの描画入力装置がある。上記タブレットは、電子ペンなどを用いて人間が表示面などの筆記板上に手書きしたイメージを電子化してイメージデータとして取得するようになっている。上記タブレットでは、人間が電子ペンにて手書きしたイメージを連続的に点として検知し、それらの点の集合をイメージとして取得している。上記タブレットでは、人間が手書きしたイメージを忠実に再現するため、検知された各点の位置を正確に検知してイメージデータを取得している。
【０００３】
例えば、カードを発行するカード発行システムでは、オペレータがカードに印刷するための個人情報などのユーザデータを入力するが、予めイメージデータが用意されている文字については、オペレータの入力に応じてイメージデータに変換される。しかしながら、イメージデータが用意されていない文字については、上記のような描画入力装置などを用いてカードに印刷する文字のイメージデータを入力して登録する必要がある。
【０００４】
しかしながら、実際に人間が電子ペンを用いて自身のイメージどおりの図形を正確に描くことは、簡単ではない。例えば、従来のタブレットにおいて、直線を描こうとした場合に、操作者が直線を描いたつもりであっても実際には直線とならずにぎざぎざな線として入力されることが多い。さらに、従来のタブレットにおいて、できるだけ正確に直線を描こうとすると、慎重に電子ペンを動かす必要があり、描画に時間がかかってしまうという問題点がある。また、定規等の直線を描くための道具を用いて直線を描くことも可能ではあるが、直線を描くための道具が必要となったり、手間がかかってしまったりするという問題点がある。
【０００５】
【特許文献１】
特開平４−３４１４５号公報
【０００６】
【発明が解決しようとする課題】
上記したように、操作者が手書きで直線などのイメージを描画する際に、正確にイメージを描画するためには時間がかかったり、手間がかかってしったりするという問題点を解決するもので、操作者が手書きで描画した直線などのイメージを当該操作者が描こうとしているイメージに補正することができ、手書き入力に時間や手間をかけることなく操作者が意図したイメージを正確かつ効率的に入力することができる描画入力装置、カード発行システム、描画入力方法及びカード発行方法を提供することを目的とする。
【０００７】
【課題を解決するための手段】
この発明の描画入力装置は、手書き入力手段により手書きで示されたイメージデータを入力するものにおいて、前記手書き入力手段が示している点を検知する検知手段と、この検知手段により検知された連続する点の位置の変動量が所定の閾値以内であるか否かを判断する判断手段と、この判断手段により連続する点の位置の変動量が所定の閾値以内であると判断した場合、前記連続する点の位置関係に基づいて前記検知手段により検知された点の位置を補正する補正手段とを有する。
【０００８】
この発明のカード発行システムは、カード発行に必要なカード情報を入力する入力手段と、この入力手段により入力されたカード情報を文字ごとに所定の文字イメージデータに変換して登録し、前記入力手段により入力された当該カード情報に所定の文字イメージデータに変換できない欠字が存在する場合には、その欠字を特定の識別子に変換して登録する第１の登録手段と、この第１の登録手段から特定の識別子に変換された欠字を取得する取得手段と、この取得手段により前記第１の登録手段から取得した欠字のイメージが手書きで示される手書き入力手段と、この手書き入力手段により示される点を検知する検知手段と、この検知手段により検知された連続する点の位置の変動量が所定の閾値以内であるか否かを判断する判断手段と、この判断手段により連続する点の位置の変動量が所定の閾値以内であると判断した場合、前記連続する点の位置関係に基づいて前記検知手段により検知された点の位置を補正する補正手段と、前記検知手段により検知された点あるいは前記補正手段により補正された点からなる点の集合を当該欠字のイメージデータとして登録する第２の登録手段と、前記第１の登録手段からカード情報を取得し、さらに、取得したカード情報に欠字が含まれる場合には前記第２の登録手段から対応する欠字のイメージデータを取得してカードを発行する発行手段とを有する。
【０００９】
この発明の描画入力方法は、手書き入力手段により手書きで示されたイメージデータを入力する描画入力装置に用いられる方法であって、前記手書き入力手段が示している点を検知する検知工程と、この検知工程により検知された連続する点の位置の変動量が所定の閾値以内であるか否かを判断する判断工程と、この判断工程により連続する点の位置の変動量が所定の閾値以内であると判断した場合、前記連続する点の位置関係に基づいて前記検知工程により検知された点の位置を補正する補正工程とを有する。
【００１０】
この発明のカード発行方法は、カード発行に必要なカード情報を入力する入力工程と、この入力工程により入力されたカード情報を文字ごとに所定の文字イメージデータに変換して第１の登録手段に登録し、前記入力手段により入力された当該カード情報に所定の文字イメージデータに変換できない欠字が存在する場合には、その欠字を特定の識別子に変換して前記第１の登録手段に登録する第１の登録工程と、前記第１の登録手段から特定の識別子に変換された欠字を取得する取得工程と、この取得工程により前記第１の登録手段から取得した欠字のイメージを手書きで入力する手書き入力手段が示す点を検知する検知工程と、この検知工程により検知された連続する点の位置の変動量が所定の閾値以内であるか否かを判断する判断工程と、この判断工程により連続する点の位置の変動量が所定の閾値以内であると判断した場合、前記連続する点の位置関係に基づいて前記検知工程により検知された点を補正する補正工程と、前記検知工程により検知された点あるいは前記補正工程により補正された点からなる点の集合を当該欠字のイメージデータとして第２の登録手段に登録する第２の登録工程と、前記第１の登録手段からカード情報を取得し、さらに、取得したカード情報に欠字が含まれる場合には前記第２の登録手段から対応する欠字のイメージデータを取得してカードを発行する発行工程とを有する。
【００１１】
【発明の実施の形態】
以下、この発明の実施の形態について図面を参照して説明する。
図１は、この発明の実施の形態に係るＩＤカード発行システムの概略構成を示すブロック図である。
図１に示すように、ＩＤカード発行システムは、登録端末１、ホストコンピュータ（第１の登録手段）２、欠字端末３、欠字データベース（第２の登録手段）４、及び印刷装置（発行手段）５を有している。上記登録端末１、ホストコンピュータ２、欠字端末３、欠字データベース４及び印刷装置５は、ＬＡＮなどのネットワーク回線６を介して接続されている。上記ＩＤカード発行システムでは、上記登録端末１及び上記欠字端末３により入力した各申請者の申請者データ（ユーザデータ）をホストコンピュータ２に登録し、上記印刷装置５にてホストコンピュータ２に登録されたユーザデータに基づいてＩＤカードを印刷するようになっている。
【００１２】
すなわち、上記登録端末１では、オペレータにより申請者から受領した申請書に基づく個人情報や申請者の顔画像などのユーザデータが入力される。上記登録端末１は、申請者から受領した申請書に基づいて当該申請者の個人情報などのデータをオペレータが入力する入力端末機器（入力手段）１ａと、申請者の少なくとも顔を含む画像のデータ（顔画像データ）を入力する画像入力機器１ｂとを有している。上記入力端末機器１ａは、図示しない、キーボード、表示部、制御部などで構成される。上記画像入力部１ｂは、デジタルカメラなどを有する撮影装置などにより構成される。また、ＩＤカード発行システムとしては、上記画像入力部１ｂの代わりに、申請者の顔画像を撮影する撮影装置をＬＡＮ６に接続した構成としても良い。
【００１３】
なお、上記登録端末１では、記憶媒体から申請者の顔画像データを取得するようにしても良いし、他の機器から申請者の顔画像データを取得するようにしても良い。例えば、記憶媒体から申請者の顔画像データを取得する場合、上記画像入力部１ｂは媒体の記憶されているデータを読み取るリーダライタ装置などを有して構成される。また、他の機器から申請者の顔画像データを取得する場合、上記画像入力部１ｂは、ＬＡＮ６などを介して他の機器との通信を行う通信装置などを有して構成される。
【００１４】
上記のように構成される登録端末１により入力されたユーザデータは、上記ホストコンピュータ２に蓄積される。上記ユーザデータには、ＩＤ番号、住所、氏名、生年月日などの個人情報が含まる。これらの個人情報は、上記登録端末１にてオペレータが入力するものである。
【００１５】
また、上記登録端末１では、個人情報などの文字を入力する場合、オペレータが入力する情報を所定のフォント情報に基づいて文字のイメージデータに変換するようになっている。つまり、例えば、ＪＩＳコードが存在する漢字などの文字は、図示しないメモリに予め登録されている所定のフォント情報として文字のイメージデータに変換される。これに対して、所定のフォント情報が存在しない文字は、欠字として入力される。上記登録端末１では、上記のような欠字が、例えば、「＊」などの欠字を示す識別子に変換されて入力される。
【００１６】
上記ホストコンピュータ２は、上記登録端末１により入力された個人情報を含むユーザデータを蓄積するものである。このホストコンピュータ２は、図示しないデータベースを有し、そのデータベースに上記登録端末１にて入力されたユーザデータを蓄積する。さらに、上記登録端末１にて入力されたユーザデータに欠字が含まれている場合、上記ホストコンピュータ２は、欠字のイメージデータを入力するために、当該ユーザデータを欠字端末３へ転送するようになっている。また、上記ホストコンピュータ２は、ＩＤカードの印刷要求に応じて蓄積したユーザデータを上記印刷装置５へ転送するようになっている。
【００１７】
上記欠字端末３は、上記ホストコンピュータ２に蓄積されている上記登録端末１にて入力されたユーザデータに含まる欠字のイメージデータを入力する。つまり、上記欠字端末３は、上記ホストコンピュータ２に蓄積されているユーザデータのうち欠字を含むユーザデータを取得し、欠字に対するイメージデータを入力する。この欠字端末３では、オペレータにより入力された欠字のイメージデータを上記欠字データベース４に登録するようになっている。
上記欠字データベース４は、上記欠字端末３により入力された各欠字のイメージデータを、各欠字を識別するための識別情報（識別子）とともに記憶するデータベース装置である。
【００１８】
上記印刷装置５は、上記ホストコンピュータ２からユーザデータを取得してＩＤカードを印刷するものである。また、ユーザデータに欠字が含まれている場合、上記印刷装置５は、欠字のイメージデータを当該欠字の識別情報に基づいて上記欠字データベース４から取得してＩＤカードを印刷するようになっている。
【００１９】
次に、上記欠字端末３の内部構成について詳細に説明する。
上記欠字端末３は、図１に示すように、制御部１１、キーボード１２、タブレット１３、記憶部（記憶手段）１５、及び通信部（取得手段）１６などを有している。
上記制御部１１は、制御プログラムにより動作するＣＰＵや制御プログラムなどが記憶されたメモリなどにより構成され、撮影装置全体の制御を司るものである。上記キーボード１２は、オペレータにより操作指示やデータなどが入力されるものである。
【００２０】
上記タブレット（描画入力装置）１３は、欠字のイメージデータをオペレータが手書き入力するものである。上記タブレット１３は、図２に示すように、筆記板および表示装置としての液晶表示装置Ｄ、ポインティングデバイス（手書き入力手段）としてのペン形状のスタイラス（以下、電子ペンと称する）Ｐ、及び制御等を行う回路機構などにより構成される。上記回路機構は、記憶手段としてのメモリ、判断手段としての判断機能、補正手段としての補正機能などの機能を実現する制御回路により構成されている。なお、上記記憶手段は、上記記憶部１５により実現し、上記判断手段あるいは補正手段等は、上記制御部１１により実現するようにしても良い。
【００２１】
また、上記液晶表示装置Ｄは、表示面（以下、入力面と称する）上に電子ペンＰが接触した点を連続的（例えば、所定時間ごと）に検知する検知手段としての機能を有している。これにより、上記タブレット１３は、上記液晶表示装置Ｄの入力面に電子ペンＰが接触した点を連続的に検知し、オペレータが手書き入力した連続する点の集合からなるイメージデータを取得する。
【００２２】
例えば、上記タブレット１３では、入力面に接触している電子ペンＰを所定時間ごとに検知することにより、所定時間ごとに検知される点の集合としてのイメージデータを取得するものである。また、上記タブレット１３の代わりに、上記マウス、トラックボール、タッチスクリーンなどのポインティングデバイス（手書き入力手段）と操作案内あるいは入力データなどを表示する表示装置にて構成するようにしても良い。この場合、上記ポインティングデバイスを用いてオペレータが手書きするイメージを取得し、表示装置に入力されたイメージを表示するようにすれば良い。
【００２３】
上記記憶部１５は、ハードディスクドライブやＲＡＭなどの記憶装置により構成され、上記ホストコンピュータ２からのデータなどを記憶する。上記通信部１６は、ネットワーク通信を行うインターフェース装置などにより構成される。上記通信部１６は、上記ホストコンピュータ（第１の登録手段）２あるいは上記欠字データベース（第２の登録手段）４とのデータ通信を行うものである。上記通信部１６は、上記ホストコンピュータ２から欠字を含むユーザデータを取得する取得手段としての機能、及び、上記欠字データベース４に登録する欠字のイメージデータを送信する機能を有している。
【００２４】
次に、上記欠字端末３による欠字入力処理について説明する。
図２は、上記欠字端末３における欠字のイメージデータを入力するシステムの構成を示す図である。図２に示すように、上記欠字端末３は、上記制御部１１、記憶部１５、及び通信部１６などを有する本体と、データ入力装置としてのキーボード１２及び描画入力装置としてのタブレット１３を有している。
【００２５】
上記タブレット１３は、液晶表示装置Ｄと電子ペンＰとを有する。上記液晶表示装置Ｄは、本体からの制御に応じて情報を表示する機能とともに、表面（入力面）への電子ペンＰの接触を検知する機能を有している。上記液晶表示装置Ｄは、表示面を１５０×１５０ドットのマトリスク状の座標とし、上記電子ペンＰとの接触点の座標を検知するようになっている。また、上記液晶表示装置Ｄは、上記電子ペンＰとの接触点を所定時間ごとに検知するようになっている。
【００２６】
図３は、上記欠字端末３により欠字を入力する際の入力画面の表示例を示す図である。
欠字の入力を行う場合、オペレータは、上記キーボード１２により欠字の入力作業の開始を指示する。すると、上記欠字端末３の制御部１１は、上記ホストコンピュータ２に欠字を含むユーザデータを要求する。これに対して、上記ホストコンピュータ２から欠字を含むユーザデータを受信した際、上記制御部１１は、上記タブレット１３の液晶表示部Ｄに欠字を含むユーザデータを表示するとともに、欠字の入力イメージを表示する表示枠を表示する。
【００２７】
例えば、図３に示す表示例では、個人情報欄２１、欠字イメージ表示領域２２、入力イメージ表示領域２３、登録ボタン２４、及び終了ボタン２５が表示されている。上記個人情報欄２１は、上記ホストコンピュータ２から取得したユーザデータに基づく当該ユーザに関する情報としてＩＤ番号（ＩＤカード番号）、住所、氏名、生年月日などが表示されている。
【００２８】
上記欠字イメージ表示領域２２には、実際に上記欠字データベース４に登録される大きさで欠字のイメージ（欠字イメージ）が表示される。上記入力イメージ表示領域２３には、上記タブレット１３にて入力された大きさで欠字のイメージ（入力イメージ）が表示される。また、上記入力イメージ表示領域２３には、上記個人情報に複数の欠字が含まれる場合には、図３に示すように、複数の欠字の入力イメージは、同一画面上の複数の表示欄２３ａ、２３ｂ、２３ｃ、…に表示されるようになっている。
【００２９】
また、上記登録ボタン２４は、上記欠字イメージ表示領域２２及び上記入力イメージ表示領域２３に表示されたイメージの欠字を上記欠字データベース４に登録する際にオペレータにより選択されるボタンである。また、上記終了ボタン２５は、欠字の入力作業を終了する際にオペレータにより選択されるボタンである。
【００３０】
例えば、上記タブレット１３では欠字のイメージが１５０×１５０ドットの画素からなる大きさで入力され、上記欠字データベース４には上記タブレット１３で入力された欠字のイメージを５０×５０ドットの画素からなる大きさのイメージに変換したものが登録されるものとする。この場合、上記欠字イメージ表示領域２２には、５０×５０ドットの画素からなる欠字のイメージが表示され、上記入力イメージ表示領域２３には、１５０×１５０ドットの画素からなる欠字のイメージが表示される。
【００３１】
次に、上記タブレット１３による欠字のイメージの入力動作について説明する。
図４は、上記タブレット１３の電子ペンＰを用いて手書きされた欠字のイメージの例を示す図である。なお、図４及び図５に示す例では、説明を簡単にするため、３０×３０ドットの画素領域におけるイメージを表しているが、実際には、例えば、各欠字に対し、１５０×１５０ドットの画素領域においてイメージが入力されるものとする。
【００３２】
図４に示す例では、「Ｔ」のような文字のイメージを入力した際の実際の入力イメージ（補正無しの入力イメージ）例を示している。「Ｔ」のような文字では、横方向の直線部分と縦方向の直線部分とを含んでいる。上記タブレット１３を用いて「Ｔ」の文字を手書き入力する場合、オペレータは、上記電子ペンＰで入力面に横方向の直線と縦方向の直線とを描画する。このような場合、人間の感覚では、上記電子ペンＰで入力面上に直線を描画したつもりであっても、多少のぶれが現れてしまうため、歪んだ直線となってしまうこと多い。
【００３３】
すなわち、オペレータが電子ペンＰにて「Ｔ」の文字を図４に示すように手書きした場合、そのままの入力イメージでは、ぎざぎざな線となってしまう。例えば、１５０×１５０ドットにおける数ドット分のぶれは、５０×５０ドットに変換（縮小）しても、完全な直線ではなくぎざぎざな線として描画されることがある。そこで、本実施の形態では、入力された各画素の位置座標を判断し、入力画素の位置座標に補正を加え、補正を加えた位置座標の点からなるイメージを入力イメージとして描画するものである。
【００３４】
例えば、図４に示すような入力イメージを、図５に示すような入力イメージに補正するものである。図４に示す例では、横方向の直線と縦方向の直線とからなる「Ｔ」という文字を上記電子ペンＰにて手書き入力したものであるが、横方向の直線のイメージと縦方向の直線のイメージとが完全な直線としては入力されていない。このような入力イメージに対して直線と判定できる部分の各画素を補正することにより直線と判定できる部分のイメージを完全な直線のイメージに補正する。これにより、図４に示す実際の入力イメージが図５に示すイメージに補正される。また、描画されるイメージは、補正されたイメージが描画される。このため、直線のイメージが多少ぶれて入力された場合であっても、描画されるイメージは、直線と判定される部分が完全な直線となる。
【００３５】
例えば、上記タブレット１３における入力イメージの画素領域が１５０×１５０ドットである場合、上記画素領域に対して横方向となるＸ方向と縦方向となるＹ方向とを設定しておき、欠字のイメージとして入力された各画素の位置を（Ｘ，Ｙ）座標によって検知する。これらの検知された各画素の座標値を比較することにより各画素の座標値を補正するものである。
【００３６】
次に、上記タブレット１３により入力される欠字のイメージの補正処理を含む欠字入力処理について説明する。
図６は、上記タブレット１３の欠字入力処理を説明するためのフローチャートである。
まず、上記欠字端末３は、キーボード１２の操作によりホストコンピュータ２から欠字が存在する個人情報を取得する。欠字が存在する個人情報を取得すると、上記欠字端末３の制御部１１は、図３に示すように、上記タブレット１３の液晶表示部Ｄに取得した個人情報と欠字を入力する入力イメージ表示領域２３とを表示させる。この状態において、オペレータは、当該申請者の申請書等を参照しつつ、個人情報に含まれている欠字の手書き入力を行う。
【００３７】
すなわち、オペレータが入力する欠字に対応する上記入力イメージ表示領域２３に電子ペンＰを接触させると、上記タブレット１３は、欠字のイメージを入力する処理（欠字入力処理）を開始する（ステップＳ１１）。この欠字入力処理において、上記液晶表示部Ｄは、所定の時間（タイミング）ごとに上記入力イメージ表示領域２３上の上記電子ペンＰが接触している点（画素）を検知する。上記入力イメージ表示領域２３における各画素の位置は、横方向をＸ方向とし、縦方向をＹ方向とした座標値で示されるものとする。従って、上記液晶表示部Ｄは、所定時間ごとに入力イメージ表示領域２３内の電子ペンＰの接触点（接触画素）を座標値で検知する。
【００３８】
つまり、入力イメージ表示領域２３内で電子ペンＰの接触点の座標を検知すると、上記タブレット１３は、検知した接触点の座標値（現在の座標値）を図示しないメモリに一旦保持する（ステップＳ１２）。なお、入力開始時（最初）に接触した点の座標は、単に、確定した座標値としてメモリに保持される。
【００３９】
また、検知した接触点の座標（現在の座標値）をメモリに保持すると、上記タブレット１３は、上記メモリに保持されている直前に検知された接触点の座標値（直前に検知された接触点の座標値が補正されている場合には補正された座標値）（前回の座標値）との比較を行う。
【００４０】
すなわち、上記タブレット１３は、現在の接触点のＸ座標と直前に検知された接触点のＸ座標（直前に検知された接触点のＸ座標が補正されている場合には補正されたＸ座標）とを比較し、現在の接触点のＸ座標と直前に検知された接触点のＸ座標（補正されている場合には補正されたＸ座標）との差が所定の一定値（閾値）以内であるか否かを判断する（ステップＳ１３）。
【００４１】
この判断により両者の差が所定の一定値以内であると判断すると（ステップＳ１３、ＹＥＳ）、上記タブレット１３は、現在の接触点におけるＸ座標の値を直前に検知された接触点のＸ座標の値（補正されている場合には補正されたＸ座標の値）に置き換え（ステップＳ１４）、現在の接触点のＸ座標として確定する（ステップＳ１５）。また、上記判断により両者の差が所定の一定値以内でないと判断した場合（ステップＳ１３、ＮＯ）、上記タブレット１３は、検知された接触点のＸ座標を現在の接触点のＸ座標として確定する（ステップＳ１５）。
【００４２】
現在の接触点のＸ座標が確定すると、上記タブレット１３は、現在の接触点のＹ座標と直前に検知された接触点のＹ座標（直前に検知された接触点のＹ座標が補正されている場合には補正されたＹ座標）とを比較し、現在の接触点のＹ座標と直前に検知された接触点のＹ座標（補正されている場合には補正されたＹ座標）との差が所定の一定値以内であるか否かを判断する（ステップＳ１６）。
【００４３】
この判断により両者の差が所定の一定値以内であると判断すると（ステップＳ１６、ＹＥＳ）、上記タブレット１３は、検知された現在の接触点におけるＹ座標の値を直前に検知された接触点のＹ座標の値（補正されている場合には補正されたＹ座標）に置き換え（ステップＳ１７）、現在のＹ座標として確定する（ステップＳ１８）。また、上記判断により両者の差が所定の一定値以内でないと判断した場合（ステップＳ１６、ＮＯ）、上記制御部１４は、検知された接触点のＹ座標を現在の接触点のＹ座標として確定する（ステップＳ１８）。
【００４４】
Ｘ座標とＹ座標とが確定すると、上記タブレット１３は、上記液晶表示部Ｄの上記入力イメージ表示領域２３に確定した座標位置の画素を表示する（ステップＳ１９）。また、上記タブレット１３は、確定したＸ，Ｙ座標を直前に検知した座標値としてメモリに保持し、上記ステップＳ１１へ戻ることにより上記の処理を繰返し実行する。
上記のような処理を各点について行うことにより手書き入力された直線らしいイメージは、完全な直線のイメージとして入力される。
【００４５】
すなわち、連続する２点の座標（比較する２点のうち先に検知された接触点の座標が補正されている場合には補正された座標）を比較することにより、横方向（Ｘ方向）の直線に対する補正処理として、縦方向（Ｙ方向）のずれ量が所定の一定値以内であれば２点の縦方向の座標が同じになるように補正し、縦方向に直線に対する補正処理として、横方向のずれ量が所定の一定値以内であれば２点の横方向の座標が同じになるように補正するようにしたものである。
【００４６】
これにより、連続する各点の座標の変化量が所定の一定値以内であれば、連続する各点に対して、縦方向の位置及び横方向の位置が同じになり、縦方向の直線及び横方向の直線として入力されたイメージを完全な縦方向の直線及び横方向の直線に補正することができる。
【００４７】
また、上述した欠字入力処理の例では、縦方向（Ｙ方向）のずれ量及び横方向（Ｘ方向）のずれ量がそれぞれ所定の一定値以内であるか否かを判断して補正を行うようにしたが、連続する点の傾きを変動量として算出し、その傾きが所定の範囲内であるか否かを判断することにより補正を行うようにしても良い。この場合、連続して入力された各点間の関係が直線であるか否かを確実に判定できる。
【００４８】
例えば、上記タブレット１３では、電子ペンＰにて入力された点を所定時間ごとに検知し、その検知した点の集合をイメージとして取得するようになっている。このため、オペレータが上記電子ペンＰを早く動かしてイメージを描画した場合には連続する点の絶対的な間隔が大きくなり、遅く動かした場合には連続する点の絶対的な間隔が小さくなる。すなわち、連続する点の間隔は、オペレータによって異なる場合があるため、上記のように、連続する２点の傾きが所定の範囲内か否かを判断するようにすれば、縦方向あるいは横方向の直線として補正すべきか否かを確実に判断できる。
【００４９】
また、補正範囲を示す所定の一定値をオペレータが変更できるようにしても良い。この場合、オペレータが手書き入力時における自分のくせなどを考慮して自身が直線として補正したい範囲を指定する。これにより、各オペレータに応じた最適な設定を行うことが可能となる。
【００５０】
【発明の効果】
以上詳述したように、この発明によれば、操作者が手書きで描画した直線などのイメージを当該操作者が描こうとしているイメージに補正することができ、手書き入力に時間や手間をかけることなく操作者が意図したイメージを正確かつ効率的に入力することができる描画入力装置、カード発行システム、描画入力方法及びカード発行方法を提供できる。
【図面の簡単な説明】
【図１】この発明の実施の形態に係るカード発行システムの概略構成を示す図。
【図２】欠字端末の概略構成を示す図。
【図３】欠字端末における欠字入力処理時の表示例を示す図。
【図４】欠字のイメージとしてオペレータが実際に手書き入力したイメージの例を示す図。
【図５】図４に示す欠字のイメージの入力例を補正した場合の欠字のイメージを示す図。
【図６】欠字入力処理を説明するためのフローチャート。
【符号の説明】
１…登録端末、１ａ…入力端末機器（入力手段）、２…ホストコンピュータ（第１の登録手段）、３…欠字端末、４…欠字データベース（第２の登録手段）、５…印刷装置（発行手段）、１１…制御部（判断手段、補正手段）、１２…キーボード、１３…タブレット（描画入力装置）、１５…記憶部（記憶手段）、１６…通信部（取得手段）、Ｄ…液晶表示装置（検知手段）、Ｐ…電子ペン（手書き入力手段）
【図１】
2004213088.tif 000003
【図２】
2004213088.tif 000004
【図３】
2004213088.tif 000005
【図４】
2004213088.tif 000006
【図５】
2004213088.tif 000007
【図６】
2004213088.tif 000008